(57)【要約】  【課題】「商品としての月めくりカレンダー」のカレンダーハンガーとしての機能を満足した状態で、材料の各部品の形状を変更して、加工を容易にし、手間を掛けないで、特に吊り下げ専用具部品の形状を単純化して使用することで、コストを安くすることに取り組む。  【解決手段】カレンダーハンガーとしての機能の十分満足できる為に、「壁掛け部A」と「折り返し空間部B」そして「吊り下げ部C」の各部品の形状を変更した、各部品の組み合わせを変更した、各部品の取り付け位置を変更したことで、また、吊り下げ専用具を単純化した形状にして使用したことで、低コストの課題を解決することができた。  【選択図】  図３１
2008260177.tif 000002
【特許請求の範囲】
【請求項１】
「商品の月めくりカレンダー」を吊り下げるカレンダーハンガーである「カレンガー」（この名称は商標である）とする。両端にある「折り返し空間板部材１２」に切り込み加工しないで、「壁掛け板部材１１」と「吊り下げ板部材２ａ」を「折り返し空間板部材１２」の前側に両方とも「固定ネジ１４」で取り付ける（図１から図６を参照）。「壁掛け板部材１１」の裏側上部に「壁掛け金具１０」を取り付ける為に「壁掛け金具取付け板部材１５」を取り付けた（図１〜図４）。折り返し空間をつくる「折り返し空間板部材１３」は、「折り返し空間板部材１３ａ」を台座にして取り付けてある（図２〜図４）。この「折り返し空間板部材１３」の不要なカレンダーには取り付けない。「吊り下げ交換部品２ａ」は、「吊り下げ専用具支持板部材３ａ又は４ａ」を「吊り下げ交換部品２ａ」の「凸加工部位１８」に「「固定釘１７」で取り付けてある。「吊り下げ専用具支持板部材３ａと４ａ」は共に長方形である、違いは横方向の長さが異なることである。これは、「吊り下げ専用具」等のサイズに合わせて確実に支持する為である。この「吊り下げ専用具支持板部材３ａ」の上部へ「金属製留め具カレンダー３１」に「Ｌ型吊り下げ専用具５ａ」を取り付けて、［吊り下げ専用具支持板部材４ａ］の上部へ「樹脂製バインダー留め具カレンダー３３」に「Ｌ型吊り下げ専用具６ａ」を取り付けて、「紙製留め具カレンダー３２」に「Ｈ型吊り下げ専用具部品組」を取り付けて、そのままの状態で、「吊り下げ交換部品２ａ」の側面から差し込み、その後に「位置決めストッパー２ｂ」を「固定ネジ１４」で取り付ける。「折り返し空間板部材１２」は、「吊り下げ交換部品２ａ」の「凸加工部位１９」の後側に「固定ネジ１４」で取り付ける。このような構造から構成されている「カレンダーハンガー１」を特徴とする「カレンガー」である。材料は、圧縮した硬い紙材、木材、金属、プラスチック、塩化ビニール、セラミックス、その他の硬い材料等を使用する。その材料等の組み合わせを含むものとする。請求項１の製造方法を含む。
【請求項２】
図９と図１０に示す「Ｌ型吊り下げ専用具５ａ」と「Ｌ型吊り下げ専用具６ａ」は、共にＬ字型の形状をしており、Ｌ字型の辺の長さに違いがあるだけで、「吊り下げ交換部品２ａ」と同じ長さに加工して使用する。吊り下げるカレンダーにより、この「Ｌ型吊り下げ専用具５ａ」と「Ｌ型吊り下げ専用具６ａ」を使い分ける。「吊り下げ交換部品２ａ」にＬ字型の形状をした「Ｌ型吊り下げ専用具」を使用することを特徴とする請求項１に記載の「カレンガー」である。材料は、圧縮した硬い紙材、木材、金属、プラスチック、塩化ビニール、セラミック、その他の硬い材料等を使用する。その材料等の組み合わせを含むものとする。請求項２の製造方法を含む。
【請求項３】
図１１と図１２に示す「Ｈ型吊り下げ専用具部品組７ａ，７ｂ，７ｃ」は、「紙製留め具カレンダー３２」に使用する「三点の組部品」である。「組部品７ａと７ｂ」の間に「紙製留め具カレンダー３２」を挟み、その「組部品７ａ、７ｂ」の中央にある「中央の丸穴７」に「紙製留め具カレンダー３２」の中央の穴を合わせてから、「中央の丸穴７」に「組部品丸ピン７ｃ」を差し込む構造である。この状態で「吊り下げ交換部品２ａ」に横から差し込み取り付ける（図１６）ことを特徴とする請求項１に記載の「カレンガー」である。材料は、圧縮した硬い紙材、木材、金属、プラスチック、塩化ビニール、セラミック、その他の硬い材料等を使用する。その材料等の組み合わせを含むものとする。請求項３の製造方法を含む。
【請求項４】
図１７と図１８に示す「位置決めストッパー２ｂ」は、「吊り下げ交換部品２ａ」の両側に「固定ネジ１４」で取り付ける。カレンダーの留め具に合った「吊り下げ専用具」を取り付けた状態で、「吊り下げ交換部品２ａ」に横から差し込み、その後で、「位置決めストッパー２ｂ」を取り付けることで、カレンダーがカレンダーハンガーの中央位置にセットされて固定される構造であることを特徴とする請求項１に記載の「カレンガー」である。材料は、圧縮した硬い紙材、木材、金属、プラスチック、塩化ビニール、セラミック、その他の硬い材料等を使用する。その材料等の組み合わせを含むものとする。請求項４の製造方法を含む。
【請求項５】
図１９から図２２に示す「カレンダーハンガー１０１」は、「吊り下げ空間板部材１１２」を「壁掛け板部材１１１」と「吊り下げ交換部品１０２ａ」の中間に位置させて、それぞれの部品を「固定ネジ１１４」で取り付けたことで「折り返し空間１１６」を確保することにした。「壁掛け部Ａ」の「壁掛け板部材１１１」の上部に直接に穴を開けて、ここに壁等に取り付けた金具等に引っ掛けるようにしたことを特徴としている。「吊り下げ交換部品１０２ａ」は、「吊り下げ交換部品２ａ」と同じ構造とする。材料は、圧縮した硬い紙材、木材、金属、プラスチック、塩化ビニール、セラミック、その他の硬い材料等を使用する。その材料等の組み合わせを含むものとする。請求項５の製造方法を含む。
【請求項６】
図２３から図２６に示す「飾り板付きカレンダーハンガー２０１」は、「壁掛け板部材２１１」に相当する部品を取り付けない。そして、「折り返し空間板部材２１９」の上部にある「穴                      
加工部位２２０」に「壁掛け紐状の部品２１０」を通して取り付けて壁に掛ける。「飾り板２１８」は、「飾り板保持板部材２１９」により保持する構造にした。「飾り板保持板部材２１９」は、「折り返し空間板部材２１２」の前面に「固定ネジ２１４」で取り付けてある。「吊り下げ交換部品２０２ａ」は、「折り返し空間板部材２１２」の下方の「固定ネジ２１４」の四本で取り付けてある。「折り返し空間板部材２１３、２１３ａ」は、「吊り下げ交換部品２０２ａ」に「固定ネジ２１４」で取り付けてある。「吊り下げ交換部品２０２ａ」は、「吊り下げ交換部品２ａ」と同じ構造とする。材料は、圧縮した硬い紙材、木材、金属、プラスチック、塩化ビニール、セラミック、その他の硬い材料等を使用する。その材料等の組み合わせを含むものとする。請求項６の製造方法を含む。
【請求項７】
図２７と図２８に示す「カレンダーハンガー３０１」は、「壁掛け部板部材３１１」が一点鎖線にしてあるのは、取り外して「壁掛け紐状の部品」に交換できることを示している。「折り返し空間板部材３１２」は「差込ピン３２１」を軸にして、角度９０度以内で可動可能である。このことは、図２７に示す一点鎖線の「壁掛け板部材３１１」を取り外して、図２８に示す様に「折り返し空間板部材３１２」を横に倒すことができる。この構造にすると、収納が容易になるし、梱包する段ボール箱を小さく製作できる。「吊り下げ交換部品３０２ａ」には、中央部より僅かに後側よりの位置に「丸ピンのセット穴３２２」と「Ｖ型加工穴３２３」の加工がしてある。また、この「吊り下げ交換部品３０２ａ」に「丸ピンのセット穴３２２」と追加の「カレンダーセット穴」のみ、あるいは、「Ｖ型加工穴３２３」のみと、別々に加工することは可能である。「丸ピンのセット穴」は、「組部品丸ピン７ｃ」を取り付けできる様に丸加工した穴である。「Ｖ型加工穴」とは、「樹脂製バインダー留め具」の形状と同じＶ字型に加工した穴である。これで「金属製留め具カレンダー３１」、「紙製留め具カレンダー３２」そして「樹脂製バインダー留め具カレンダー３３」の全てを引っ掛けて吊り下げることが可能である。「壁掛け板部材３１２」は、「吊り下げ交換部品３０２ａ」の両端の後側を加工して「固定ネジ３１４と固定釘３１７」で取り付けてある。「折り返し空間板部材３１３と３１３ａ」は、「吊り下げ交換部品３０２ａ」に「固定ネジ３１４と固定釘３１７」で直接に取り付けてある。材料は、圧縮した硬い紙材、木材、金属、プラスチック、塩化ビニール、セラミック、その他の硬い材料とする。その材料等の組み合わせを含むものとする。請求項７の製造方法を含む。
【発明の詳細な説明】
【技術分野】
【０００１】
本発明は、商品のカレンダー用ハンガーに関するものである。
【背景技術】
【０００２】
現代のカレンダーの壁掛けの形式では、金属部分の中央にある丸い穴の部位を押し開いて丸い穴を、又は金属部分に挟み込んだ紐状の物を壁や板に取り付けてある釘状のものに掛けるようになっている。そして、紙製留め具カレンダーは中央にある丸穴に金具等を通して壁に掛けている。「商品としての完成されたカレンダー」を掛けるカレンダーハンガーを出願中であるが、材料の加工をするのに複雑な構造であり、加工する手間が掛かり、吊り下げ専用具の加工も複雑である。その為に製作が高コスト化になっている。
【特許文献１】特開２００３−２１１８６９（第２頁、図３）
【特許文献２】特願２００５−３０７７９１
【特許文献３】特願ＰＣＴ／ＪＰ２００６／３１７０４７
【特許文献４】特願ＰＣＴ／ＪＰ２００６／３１７９５５
【発明の開示】
【発明が解決しようとする課題】
【０００３】
材料の構造を簡単にして加工を容易にして、加工する手間を掛けないで、特に吊り下げ専用具は簡単な形状とすることで、低コスト化することに取り組む。
【課題を解決するための手段】
【０００４】
そこで、本発明は上記の目的を達成する為に「壁掛け部Ａ」と「折り返し空間部Ｂ」そして「吊り下げ部Ｃ」から構成されている構造が図１に示す「カレンダーハンガー１」となる。この三部位の各部品の形状を変更した、各部品の組み合わせを変更した、各部品の取り付け位置を変更したことで、課題を解決することにした。商品としてのカレンダーを吊り下げることから、この名称は「カレンガー」とする商標である
【０００５】
図５と図６に示す「吊り下げ空間板部材１２」の加工は切り込みをしないで、「壁掛け板部材１１」と「吊り下げ交換部品２ａ」を両方ともに前側に「固定ネジ１４」で取り付ける構造とした。１２ａが左側用で、１２ｂが右側用である。「吊り下げ空間板部材１２」の材料に切り込み加工をしないことで、加工手間が要らなくなった。「壁掛け金具１０」を取り付ける「壁掛け金具取付け板部材１５」を「壁掛け板部材１１」の中央に取り付けた。この構造では、カレンダーハンガーの部品の全面が壁面に接触することがないので風通しが良い。図１から図４に示す「吊り下げ空間板部材１３、１３ａ」は、カレンダーの紙質が硬い時に取り付けて使用する部品であるが、カレンダーの紙面を丸く規制する為である。この部品を取り付けないとカレンダーの紙質が硬い時は、「カレンダーハンガー１」が、吊り下げた状態で傾斜することになるのである。従って、軟らかい紙質のカレンダーには取り付ける必要がない。
【０００６】
図７と図８は「吊り下げ交換部品２ａ」である。図７には「吊り下げ専用具支持板部材３ａ」が取り付けて、図８には「吊り下げ専用具支持板部材４ａ」が取り付けてある。「吊り下げ専用具支持板部材３ａと４ａ」の形状が同じ長方形であり、横方向の長さが違うだけである。これはカレンダーの紙面が吊り下げられて、この隙間を通して行くところであり、この間隔を調整することで、「吊り下げ専用具５ａ又は６ａ」を安定して支持する為である。このことで「吊り下げ交換部品２ａ」は、全体として構造が簡単となり加工が容易になった。
【０００７】
図９と図１０に示す「Ｌ型吊り下げ専用具５ａ又は６ａ」は、Ｌ字型の形状で直接にカレンダーを引っ掛けて吊り下げる部品であり、共にＬ字型の形状であるが辺の長さが違うだけである。「Ｌ型吊り下げ専用具５ａ又は６ａ」は、「金属製留め具カレンダー３１」と「樹脂製バインダー留め具カレンダー３３」を直接に引っ掛けて吊り下げるものであり、そのカレンダーを引っ掛けた状態（図１３と図１４）のままで、請求項１に記載の「カレンダーハンガー１」の「吊り下げ交換部品２ａ」の凹加工してあり、「吊り下げ専用具支持板部材３ａ又は４ａ」の上のところに嵌め込むことで固定する。
【０００８】
図１１に示す「Ｈ型吊り下げ専用具部品組７ａ、７ｂ、７ｃ」は、［紙製留め具のカレンダー３２］を直接に引っ掛けて吊り下げるものであり、そのカレンダーを引っ掛けて吊り下げた状態（図１２）のままで、請求項１に記載の「カレンダーハンガー１」の図８の「吊り下げ板部材２ａ」の凹加工してあり、「吊り下げ専用具支持板部材４ａ」の上のところに嵌め込むことで固定する（図１６）ことができる。
【０００９】
図１７から図１８に示す「位置決めストッパー２ｂ」は、「吊り下げ交換部品２ａ」の両端に取り付ける部品であり、共に同じ丸く加工した部位がある。取り付けの為に「固定ネジ穴１４」がある。この部品の役目は位置決めすることと、差し込んだカレンダー等を内部に固定する役目を持っている。図１７と図１８に示すＬが左側で、Ｒは右側である。この部品を製作する時には、模様を合わせる様にして美観的にも役に立つものにする。
【００１０】
図１９は正面図、図２０は平面図で、そして、図２１は背面図で、図２２はその平面図である。図１９から図２２に示す「カレンダーハンガー１０１」は「吊り下げ空間板部材１１２」を「壁掛け板部材１１１」と「吊り下げ交換部品１０２ａ」の中間に位置させて、それぞれの部品を「固定ネジ１１４」で取り付けたことで「折り返し空間１１６」を確保する構造である。従って「壁掛け板部材１１１」は、一枚板で製作してもよいし、材料の都合によるが二枚あるいは三枚に分割して製作し、いずれか安価に製作できる方を選択する。カレンダーの紙質が柔らかい紙面であれば、「壁掛け板部材１１１」の下方半分は取り付けないことも可能となる。「壁掛け板部材１１１」の上部に「壁掛け用穴１１０」を加工してある。「吊り下げ交換部品１０２ａ」は、「吊り下げ交換部品２ａ」と同じ構造である。
【００１１】
図２３から図２６に示す「飾り板付きカレンダーハンガー２０１」は、「飾り板２１８」の木目模様を楽しめる様に製作したものである。図２３は正面図、図２４は平面図、そして、図２５は背面図で、図２６はその平面図です。「壁掛け板部材２１１」に相当する部品を取り付けない。そして、「飾り板保持板部材２１９」と「折り返し空間板部材２１２」を「固定ネジ２１４」で取り付けることで、「飾り板２１８」を支持する。「壁掛け部Ａ」は「壁掛け紐状の部品２１０」とした。「吊り下げ空間板部材２１３、２１３ａ」は、軟らかい紙面のカレンダーでは、取り付ける必要がない。図２５と図２６では、「飾り板２１８」は省略してある。「吊り下げ交換部品２０２ａ」は「吊り下げ交換部品２ａ」と同じ構造である。
【００１２】
図２７は正面図で、図２８は平面図である。この「カレンダーハンガー３０１」は、「吊り下げ交換部品３０２ａ」の加工に特徴がある。中央部より僅かに後側よりの位置に「丸ピンのセット穴３２２」と「Ｖ型加工穴３２３」が加工してある。「Ｖ型加工穴」とは、Ｖ字型に加工した穴である。これで「金属製留め具カレンダー３１」、「紙製留め具カレンダー３２」そして「樹脂製バインダー留め具カレンダー３３」の全てを引っ掛けて吊り下げる様にした。「壁掛け板部材３１２」は、「吊り下げ交換部品３０２ａ」の両端の後側を加工して「固定ネジ３１４と固定釘３１７」で取り付けてある。「折り返し空間板部材３１３と３１３ａ」は、「吊り下げ交換部品３０２ａ」に「固定ネジ３１４、固定釘３１７」で直接に取り付けてある。
【００１３】
図２９で３０ａが「紙製留め具カレンダー３２」で、３０ｂが「金属製留め具カレンダー３１」であり、それぞれに、「Ｈ型吊り下げ専用具部品組」の「組部品丸ピン７ｃ」が取り付けてある。このままの状態で、「紙製留め具カレンダー３２」もしくは「金属製留め具カレンダー３１」を「カレンダーハンガー３０１」に取り付けて吊り下げてあるのが、図３０である。また「樹脂製バインダー留め具カレンダー３３」は、何もする必要も無く、「Ｖ型加工穴３２３」に取り付けるだけで位置決め固定できる。
【００１４】
「折り返し空間板部材３１２」は、「差込ピン３２１」を軸に角度９０度以内で可動可能である。このことは、図２７に示す一点鎖線の「壁掛け板部材３１１」を取り外して、図２８に示す様に「折り返し空間板部材３１２」を横に倒すことができる。「壁掛け板部材３１２」の代わりに、「壁掛け紐状の部品」にすることも可能である。この構造にすると「壁掛け板部材３１１」を取り外して梱包できるので、梱包する段ボール箱が小さく製作できる。
【００１５】
本発明は、これまでに記載した内容で、カレンダーハンガーの課題が解決することができた。各部品の材料の加工を変更したことで、切り込み加工により接合した場合に乾燥したら発生する隙間の問題を解決することもできた。これで全ての問題を解決し目的を達成した。
【発明の効果】
【００１６】
上述したように本発明のカレンダーハンガーである「カレンガー」は、「壁掛け部Ａ」と「折り返し空間部Ｂ」そして「吊り下げ部Ｃ」の各部品の形状を変更して、各部品の組み合わせを変更し、各部品の取り付け位置を変更した。各部品は単純な形状を使用することで、材料の形状は加工が容易となり、加工に手間を掛けないで、特に吊り下げ専用具は、単純な形状に変更したことにより、低コスト化を図ることができた。
【発明を実施するための最良の形態】
【００１７】
以下、本発明の実施の形態を図１から図２４に基づいて説明する。また、本発明に使用する材料は、圧縮した硬い紙材、木材、金属、プラスチック類、塩化ビニール、セラミックス、その他の硬い材料等とする。そして、その材料等の組み合わせを含むものとする。
【００１８】
図１は正面図、図２は平面図、そして、図３は背面図で、図４はその平面図です。図１から図４では、「装飾的な月めくりカレンダー」を吊り下げるハンガーとして使用する「カレンダーハンガー１」であり、「壁掛け部Ａ」の「壁掛け板部材１１」と「折り返し空間部Ｂ」の「折り返し板部材１２」そして「吊り下げ部Ｃ」の「吊り下げ板部材２ａ」と位置決めストッパー２ｂ」から構成されている構造である。「壁掛け板部材１１」の裏側に壁や板に掛ける為の「壁掛け金具取付け板部材１５」が取り付けてある。「壁掛け板部材１１」は、「折り返し空間板部材１２」とは上部の「固定ネジ１４」二本（図３）で接合してある。「吊り下げ板部材２ａ」は、「折り返し空間板部材１２」とは下部の「固定ネジ１４」二本（図３）で接合してある。「固定ネジ」で取り付ける所は全てネジ穴を付けてネジが表面に出ないように加工してある。カレンダーの紙面を折り返す部位の「折り返し空間１６」が示してある。
【００１９】
図１、図２、図４では簡単な形状であるが、「位置決めストッパー２ｂ」の取り付けた状態を確認することができる。図１から図４では、「折り返し空間１６」を作る「折り返し空間板部材１３」と「折り返し空間板部材１３ａ」の形状と取り付け位置を確認できるし、「折り返し空間１６」は、「折り返し空間板部材１３ａ」の厚みによって決められている。どの部品も切り込み加工をしないで、「固定ネジ１４と釘１７」により各部品が接合されていることを示している。このことは、切り込み加工した部品を接合した場合に、乾燥により発生し易い隙間を作ることが無いので、美観的にはすっきりとした感じになる。また各部品の端面は丸く加工してあるし、「壁掛け板部材１１」と「折り返し空間板部材１２」の端面を少しずらして位置決め接合して「固定ネジ１４」でネジ留めて変化を付けたデザインにしてある。
【００２０】
図５と図６は、「折り返し空間板部材１２」であり、「壁掛け板部材１１」とか、「吊り下げ交換部品２ａ」を取り付ける為に、切り込み加工をしていない。上部にある二本の「固定ネジ１４」で「壁掛け板部材１１」と接合し、下部にある二本の「固定ネジ１４」で「吊り下げ交換部品２ａ」を取り付けてある。「固定ネジ穴１４」が中央位置からずれているのは、各部品の取り付け位置を、それぞれずらして取り付くようにしてある。従来は、「折り返し板部材１２」に切り込み加工をしていたので、加工に難しい面があったし、加工に手間が掛かっていた。加工が容易となり、手間が掛からなくなったし、機能面でも全く問題はない。１２ａが左側用、１２ｂが右側用である。
【００２１】
図７と図８は、「吊り下げ交換部品２ａ」の側面図である。図７には「吊り下げ専用具支持板部材３ａ」が取り付けてある。図８には「吊り下げ専用具支持板部材４ａ」が取り付けてある。「吊り下げ専用具支持板部材３ａ」と「吊り下げ専用具支持板部材４ａ」との違いは、長方形の横の長さがわずかに異なるだけである。これは「吊り下げ専用具」により使いわけている。結果としては、「吊り下げ専用具」等を確実に支持することになる。上部の中央にある「取り付けネジ穴２１」は「位置決めストッパー２ｂ」を取り付ける。
【００２２】
図９と図１０は、「Ｌ型吊り下げ専用具５ａ」と「Ｌ型吊り下げ専用具６ａ」で、共にＬ字型形状であり、単純化したものである。「Ｌ型吊り下げ専用具５ａ」は、「金属製留め具カレンダー３１」用である。「Ｌ吊り下げ専用具６ａ」は、「樹脂製バインダー留め具カレンダー３３」用である。このＬ字型形状で十分にカレンダーを吊り下げて保持できるのである。従って、形状の単純化を図ることにより、この部品のコストを低く抑えることができた。
【００２３】
図１１と図１２は、「Ｈ型吊り下げ専用具部品組７ａ、７ｂ、７ｃ」の斜視図である。これから「Ｈ型吊り下げ専用具部品組７ａ、７ｂ、７ｃ」を、それぞれ「組部品７ａ」、「組部品７ｂ」そして「組部品丸ピン７ｃ」と記載することがある。「組部品７ａと７ｂ」の中央に「中央の穴７」があり、ここに「組部品丸ピン７ｃ」を差し込みカレンダーは固定される。この「組部品丸ピン７ｃ」は、穴にしっくりと合うように加工してあるので、段差を付ける必要がない。また、「組部品７ｂ」は、カレンダーを固定して保護する為に副えて、カレンダーを損傷させないことを第１に考えてある。図１２は「Ｈ型吊り下げ専用具部品組」に「紙製留め具カレンダー３２」を取り付けて固定した状態が示されてある。「カレンダーの３２ａ」はカレンダーの表側を示している。「紙製留め具カレンダー３２」の中央の穴と「組部品７ａ、７ｂ」の「中央の穴７」を合わせておいて、「組部品丸ピン７ｃ」を差し込み固定してある。
【００２４】
図１３と図１４は「吊り下げ交換部品２ａ」の側面図である。図１３は「金属製留め具カレンダー３１」に「Ｌ型吊り下げ専用具５ａ」を取り付けた状態で、「吊り下げ交換部品２ａ」に横から差し込み取り付けてある部位が示されてある。図１４には、「樹脂製バインダー留め具カレンダー３３」に「Ｌ型吊り下げ専用具６ａ」を取り付けた状態で、「吊り下げ交換部品２ａ」に横から差し込み取り付けてある部位が示されてある。「金属製留め具カレンダー３１」に「Ｌ型吊り下げ専用具５ａ」を取り付けて、「樹脂製バインダー留め具カレンダー３３」に「Ｌ型吊り下げ専用具６ａ」を取り付けて、「吊り下げ交換部品２ａ」に取り付けした状態では、しっくりした差込空間の為にカタカタと動くことはない。
【００２５】
図１５と図１６は、「吊り下げ交換部品２ａ」の側面図で、図１５は、「紙製留め具カレンダー３２」用の「Ｈ型吊り下げ専用具部品組」を「吊り下げ交換部品２ａ」に取り付けたものである。「組部品７ａ、７ｂ」の「中央の穴７」に、「組部品丸ピン７ｃ」が差し込んであることを示してある。  図１６は、「紙製留め具カレンダー３２」に「Ｈ型吊り下げ専用具部品組」を取り付けした状態で、「吊り下げ交換部品２ａ」に横から差し込み取り付けしたものである。この状態では、各部品がカタカタと動くことのない様にしっくりと加工してある。
【００２６】
図１７と図１８は「吊り下げ交換部品２ａ」の両側に取り付ける「位置決めストッパー２ｂ」である。図１７は、側面図であり、図１８は、正面図である。この「位置決めストッパー２ｂ」の役目は、「吊り下げ交換部品２ａ」の凹加工してあり、「吊り下げ専用具支持板部材」の「部品３ａまたは部品４ａ」の上部に差し込んである物を、位置決めして飛び出して来ないようにする為に取り付ける。「位置決め」とは、「吊り下げ専用具」を取り付けたカレンダーが、カレンダーハンガーの中央に来る様に位置を規定することである。この図１７と図１８の「位置決めストッパー２ｂ」は、Ｌが左側用で、Ｒが右側用である。部位１４は「固定ネジ穴１４」で、「固定ネジ１４」を差し込み「位置決めストッパー２ｂ」を取り付ける部位で、正面からは見えないように加工してある。上部の部位２０は丸い加工がしてある。
【００２７】
図１９は正面図、図２０はその平面図であり、図２１は背面図、図２２はその平面図である。図１９から図２２では、「装飾的な月めくりカレンダー」を吊り下げるハンガーとして使用する「カレンダーハンガー１０１」であり、「折り返し空間板部材１１２」を中間にして、「壁掛け板部材１１１」を後側に、「吊り下げ交換部品１０２ａ」を前側に取り付けてある。  この取り付け構造にすると、図２２と図２４に示されているこのままの状態で「折り返し空間１１６」が確保される。「壁掛け板部材１１１」は、一枚板で製作しても良いし、二枚、三枚板で製作しても良い。二枚板で製作したこの場合は、中間から下部の方を「折り返し空間板部材１１３」とする。材料のコストが安くなる方を選択する。カレンダーの紙面が柔らかいものには、中間から下方の「折り返し空間板部材」に当る部位は取り付ける必要が無い。「壁掛け板部材１１１」の上部に、「壁掛け金具等用穴１１０」が開けてある。壁掛け金具を取り付けないのがこの特徴でもある。
【００２８】
図２３から図２６は、「飾り板付きカレンダーハンガー２０１」である。図２３は正面図、図２４は平面図、そして、図２５は背面図で、図２６はその平面図である。図２５と図２６には「飾り板２１８」は省略してある。「壁掛け板部材２１１」に相当する部品は取り付けない、その代わりに「壁掛け紐状の部品２１０」を取り付けてある。「飾り板保持板部材２１９」が「折り返し空間板部材２１２」に「固定ネジ２１４」で取り付けてある。この間にできる部位を利用して「飾り板２１８」を保持する。「折り返し空間板部材２１３と２１３ａ」は「吊り下げ交換部品２０２ａ」に「固定釘２１７」で取り付けてある。「飾り板保持板部材２１９」に「飾り板２１８」を固定する「飾り板固定ネジ２２４」を取り付ける（図２３、図２４）。
【００２９】
図２７と図２８は、「カレンダーハンガー３０１」である。図２７は正面図、図２８は平面図である。この「カレンダーハンガー３０１」の特徴は、「折り返し空間板部材３１２」が縦と横に可動すること、「吊り下げ交換部品３０２ａ」に特殊な加工がしてある。「折り返し空間板部材３１２」は「差込ピン３２１」を軸に角度９０度以内で可動ができる。図２７は縦にして、仮に一点鎖線で「壁掛け板部材３１１」を取り付けた様に示してある。図２８では横にして水平にしてある。「壁掛け部Ａ」は組み立て式にしてある。収納にとても便利であるし、梱包用段ボール箱を小さく製作できる。「壁掛け紐状の部品」にすることも可能である。
【００３０】
「吊り下げ交換部品３０２ａ」は、中央部より後側よりで中心部に「丸ピンのセット穴３２２」を加工して、水平方向に「Ｖ型加工穴３２３」を加工してある。ここにカレンダーを取り付ける。図２９の３０ａは「紙製留め具カレンダー３２」に「組部品丸ピン７ｃ」を取り付けて、３０ｂには、「金属製留め具カレンダー３１」に「組部品丸ピン７ｃ」が取り付けてある。このままの状態で、図３０に示す様に「丸ピンのセット穴３２２」と「Ｖ型加工穴３２３」に取り付けする。また、この加工は「吊り下げ交換部品３０２ａ」に「丸ピンのセット穴３２２」と追加の「カレンダーセット穴」のみ、あるいは「Ｖ型加工穴３２３」のみと、別々に加工することは可能である。この加工した部位は「吊り下げ交換部品３０２ａ」の上部に当る丸加工したところの面積からして、カレンダーの紙面を折り返した時にも全く傷めることは無い程度である。「折り返し空間板部材３１３と３１３ａ」は「吊り下げ交換部品３０２ａ」に「固定ネジ３１４と固定釘３１７」で取り付けてある。
【実施例】
【００３１】
図３１は正面図で実施例［４０１］である。  吊り下げられているカレンダーは、「装飾的な月めくりカレンダー３１」で、「カレンダー表側３１ａ」が示されてある。カレンダーの紙面の数枚が折り返された状態で「カレンダーの裏側３１ｂ」が示されている。カレンダーの下方はカットした図面である。この実施例［３０１］の特徴は、「壁掛け板部材４１１」を「吊り下げ空間板部材４１２」の前面に取り付けていることである。このことにより、壁面に直接触れるのは、「折り返し板部材３１２」だけである。しかし、壁面に取り付ける必要があるので、「壁掛け金具４１０」を取り付ける「壁掛け金具取付け板部材４１５」（背面にある）を「固定ネジ４１４」で取り付けてある。「折り返し空間板部材４１３」は、カレンダーの紙面が硬いときに必要に応じて取り付ける。図面の中央に「折り返し空間４１６」が示されてある。構造は、「カレンダーハンガー１」と同じである。
【００３２】
図３２は正面図で実施例[５０１]である。吊り下げられているカレンダーは、「紙製留め具カレンダー３２」で、「カレンダーの表側が３２ａ」である。カレンダーの紙面の数枚が折り返された状態で「カレンダーの裏側３２ｂ」が示されてある。カレンダーの下方はカットした図面である。この実施例［５０１］の特徴は、「壁掛け板部材５１１」が「吊り下げ空間板部材５１２」の背面に取り付けていることである。このことにより、「壁掛け板部材５１１」が壁面に直接触れることになるが、この「壁掛け板部材５１１」を中間よりも下方まで「吊り下げ空間板部材５１３」を兼用するかたちで取り付ける。従って、「壁掛け板部材５１１」は、一枚でも、二枚、三枚板でも、コスト的に安い方を選択する。もう一つの特徴は、「壁掛け板部材５１１」の上部の板に直接「壁掛け金具等用穴５１０」を開けてある。これで「壁掛け金具」が必要なくなった。構造は、「カレンダーハンガー１０１」と同じである。
【００３３】
図３３は正面図で実施例「６０１」である。吊り下げられているカレンダーは、「紙製留め具カレンダー３２」で、「カレンダーの表側３２ａ」である。カレンダーの紙面の数枚が折り返された状態で「カレンダーの裏側３２ｂ」が示されてある。カレンダーの下方はカットした図面である。この実施例［６０１］の特徴は、「飾り板付きカレンダーハンガー」である。「壁掛け板部材６１１」が無いので、「飾り板６１８」は、「飾り板保持板部材６１９」を「折り返し空間板部材６１２」の上部に「固定ネジ６１４」で取り付けてある。従って、「壁掛け板部材６１１」の代わりに「壁掛け紐状の部品６１０」で、壁に引っ掛けることになる。構造は、「カレンガーハンガー２０１」と同じである。
【００３４】
図３４は正面図で実施例「７０１」である。吊り下げられているカレンダーは、「装飾的な月めくりカレンダー３３」で、「カレンダーの表側３３ａ」である。カレンダーの紙面の数枚が折り返された状態で「カレンダーの裏側３３ｂ」が示されてある。カレンダーの下方はカットした図面である。この実施例「７０１」の特徴は、「吊り下げ交換部品７０２ａ」のほぼ中央に、「丸ピンセット部位７２２」と「Ｖ型加工部位７２３」である。「丸ピンセット部位７２２」は「組部品丸ピン７ｃ」を「金属留め具カレンダー３１」と「紙製留め具カレンダー３２」の中央部にある「中央の丸穴７」に差し込んで、「吊り下げ交換部品７０２ａ」に引っ掛ける為である。「Ｖ型加工部位７２３」は「樹脂製バインダー留め具カレンダー３３」をそのままの状態で取り付けする為である。また、「折り返し空間板部材７１２」が角度９０度以内で縦と横に可動することも特徴である。「折り返し空間板部材７１２」は組み立て式とする。構造は、「カレンダーハンガー３０１」と同じである。
【産業上の利用可能性】
【００３５】
製作コストを少しでも低く抑えることで、商品の価格を低コストで提供することが可能となった。映画俳優、女優、歌手、アイドル、ユニークなキャラクター、有名な絵画と彫刻物、建築物等の写真とか絵等が入っているもの、更に最近は世界遺産に登録された諸々の写真とか絵入り等で、そのフアンの人々とそれを趣味にしている人々は数多く存在するので、本発明の「カレンガー」を購入してくれることは間違いないと考えるので、産業上の利用可能性はあると判断する。
【図面の簡単な説明】
【００３６】
【図１】カレンダーハンガー１の正面図
【図２】カレンダーハンガー１の平面図
【図３】カレンダーハンガー１の背面図
【図４】カレンダーハンガー１の背面の平面図
【００３７】
【図５】折り返し板部材１２の正面図で、１２ａが左側用、１２ｂが右側用
【図６】折り返し板部材１２の側面図で、１２ａが左側用、１２ｂが右側用
【図７】吊り下げ専用具支持板部材３ａ付き吊り下げ交換部品２ａの側面図
【図８】吊り下げ専用具支持板部材４ａ付き吊り下げ交換部品２ａの側面図
【００３８】
【図９】Ｌ型吊り下げ専用具５ａの斜視図
【図１０】Ｌ型吊り下げ専用具６ａの斜視図
【図１１】Ｈ型吊り下げ専用具組部品（７ａ、７ｂ、７ｃ）の斜視図
【図１２】カレンダー３２付きＨ型吊り下げ専用具組部品の斜視図
【００３９】
【図１３】吊り下げ交換部品２ａに月めくりカレンダー３１を吊り下げた側面図
【図１４】吊り下げ交換部品２ａに月めくりカレンダー３３を吊り下げた側面図
【図１５】Ｈ吊り下げ専用具組部品を取り付けた吊り下げ交換部品２ａの側面図
【図１６】月めくりカレンダー３２を吊り下げた吊り下げ交換部品２ａの側面図
【図１７】位置決めストッパーの側面図で、Ｌが左側用、Ｒが右側用
【図１８】位置決めストッパーの正面図で、Ｌが左側用、Ｒが右側用
【００４０】
【図１９】カレンダーハンガー１０１の正面図
【図２０】カレンダーハンガー１０１の平面図
【図２１】カレンダーハンガー１０１の背面図
【図２２】カレンダーハンガー１０１の背面の平面図
【００４１】
【図２３】カレンダーハンガー２０１の正面図
【図２４】カレンダーハンガー２０１の平面図
【図２５】カレンダーハンガー２０１の背面図
【図２６】カレンダーハンガー２０１の背面の平面図
【００４２】
【図２７】カレンダーハンガー３０１の正面図
【図２８】カレンダーハンガー３０１の平面図
【図２９】３０ａは丸ピン７ｃを取り付けた紙製留め具カレンダー３２の斜視図と              ３０ｂは丸ピン７ｃを取り付けた金属製留め具カレンダー３１の斜視図
【図３０】紙製留め具カレンダー３２を取り付けたカレンダーハンガー３０１の平面図
【００４３】
【図３１】実施例［カレンダーハンガー４０１］の正面図
【図３２】実施例［カレンダーハンガー５０１］の正面図
【図３３】実施例［カレンダーハンガー６０１］の正面図
【図３４】実施例［カレンダーハンガー７０１］の正面図
【符号の説明】
【００４４】
１      カレンダーハンガー本体
２ａ    吊り下げ交換部品
２ｂ    吊り下げ交換部品用位置決めストッパー
３ａ    吊り下げ専用具支持板部材
４ａ    吊り下げ専用具支持板部材
５ａ    Ｌ型吊り下げ専用具
６ａ    Ｌ型吊り下げ専用具
７ａ    H型吊り下げ専用具組部品
７ｂ    Ｈ型吊り下げ専用具組部品
７ｃ    Ｈ型吊り下げ専用具組部品「組部品丸ピン」
【００４５】
１０    カレンダーハンガー１の壁掛け金具
１１    カレンダーハンガー１の壁掛け部Ａの壁掛け板部材
１２    カレンダーハンガー１の折り返し空間板部材
１３    カレンダーハンガー１の折り返し空間板部材
１４    各部のネジ取り付け用の丸穴加工した部分と固定ネジ
１５    壁掛け金具取付け板部材。
１６    折り返し板部材１２と吊り下げ板部材１３の間にできる空間
１７    各部の板部材を取り付ける固定釘。
【００４６】
１８    吊り下げ交換部品２ａの前側の凸加工した部位。
１９    吊り下げ交換部品２ａの後側の凸加工した部位。
２０    吊り下げ交換部品２ａの丸加工した部位。
２１    吊り下げ交換部品２ａにネジの穴加工した部位。
２２    吊り下げ交換部品２ａに吊り下げ専用具支持板部材３ａ，４ａを取り付ける為の丸穴加工した部位。
【００４７】
３０ａ  中央の穴７に組部品丸ピン７ｃを取り付けた紙製留め具カレンダーの斜視図
３０ｂ  中央の穴７に組部品丸ピン７ｃを取り付けた金属製留め具カレンダーの斜視図
３１    金属製留め具カレンダー
３１ａ  金属製留め具カレンダーの表側
３１ｂ  金属製留め具カレンダーの裏側
３２    紙製留め具カレンダー
３２ａ  紙製留め具カレンダーの表側
３２ｂ  紙製留め具カレンダーの裏側
３３    樹脂製バインダー留め具カレンダー
３３ａ  樹脂製バインダー留め具カレンダーの表側
３３ｂ  樹脂製バインダー留め具カレンダーの裏側
【００４８】
１０１    各部品の形状、加工、組み合わせ等を変更したカレンダーハンガー
１０２ａ  金属製留め具カレンダーを吊り下げた吊り下げ交換部品２ａ
１０２ｂ  吊り下げ交換部品１０２ａの位置決めストッパー
１１０    壁掛け金具等用穴
１１１    壁掛け板部材
１１２    吊り下げ空間板部材
１１３    吊り下げ空間板部材（空間規制用）
１１４    各部取り付けネジ穴または取り付けネジ
１１６    吊り下げ空間
１１７    各部取り付け固定釘（隠れて見えない）
【００４９】
２０１    飾り板付きカレンダーハンガー
」２０２ａ  樹脂製バインダー留め具カレンダーを吊り下げた吊り下げ交換部品２ａ
２０２ｂ  吊り下げ交換部品２０２ａの位置決めストッパー
２１０    壁掛け紐状の部品
２１１    壁掛け板部材
２１２    吊り下げ空間板部材
２１３    吊り下げ空間板部材（空間規制用）
２１４    各部取り付けネジ穴または取り付けネジ
２１５    壁掛け金具取り付け板部材
２１６    吊り下げ空間
２１７    各部取り付け固定釘（隠れてみえない）
２１８    飾り板
２１９    飾り板保持板部材
２２０    壁掛け紐状の部品取り付け穴
２２４    飾り板固定ネジ
【００５０】
３０１    カレンダーハンガー
３０２ａ  吊り下げ交換部品（特殊加工品）
３０２ｂ  吊り下げ交換部品３０２ａの位置決めストッパー
３１０    壁掛け金具等用穴
３１１    壁掛け板部材
３１２    折り返し空間板部材（特殊加工品）
３１３    折り返し空間板部材（空間規制用）
３１４    各部取り付けネジ穴又は取り付けネジ
３１６    吊り下げ空間
３１７    各部取り付け固定釘
３１８〜３２０  欠番
３２１    差込丸ピン（差し込みセットする丸ピン）
３２２    丸ピンのセット穴（組部品丸ピンをセットする丸穴）
３２３    Ｖ型加工穴（Ｖ型加工部位と穴）
【００５１】
４０１    実施例［カレンダーハンガー］
４０２ａ  吊り下げ交換部品
４０２ｂ  吊り下げ交換部品の位置決めストッパー
４１０    壁掛け金具
４１１    壁掛け板部材
４１２    折り返し空間板部材
４１３    折り返し空間板部材（空間規制用）
４１５    壁掛け金具取付け板部材
４１６    折り返し空間
【００５２】
５０１    実施例［カレンダーハンガー］
５０２ａ  吊り下げ交換部品
５０２ｂ  吊り下げ交換部品（空間規制用）
５１０    壁掛け金具等用加工穴
５１１    壁掛け板部材
５１２    折り返し板部材
【００５３】
６０１    実施例［カレンダーハンガー］
６０２ａ  吊り下げ交換部品
６０２ｂ  吊り下げ交換部品の位置決めストッパー
６１０    壁掛け紐状の部品（隠れて見えない）
６１２    折り返し空間板部材
６１３    折り返し空間板部材（空間規制用）
６１４    固定ネジ
６１６    折り返し空間
６１８    飾り板
６１９    飾り板保持板部材
６２４    飾り板固定ネジ（隠れて見えない）
【００５４】
７０１    実施例［カレンダーハンガー］
７０２ａ  吊り下げ交換部品（特殊加工品）
７０２ｂ  吊り下げ交換部品の位置決めストッパー
７１０    壁掛け金具等用加工穴
７１１    壁掛け板部材
７１２    折り返し空間板部材（特殊加工品）
７２２    丸ピンセット穴（隠れて見えない）
７２３    Ｖ型加工穴（隠れて見えない）
【００５５】
Ａ      カレンダーハンガーの壁掛け部
Ｂ      カレンダーハンガーの折り返し空間部
Ｃ      カレンダーハンガーの吊り下げ部
【図１】
2008260177.tif 000003
【図２】
2008260177.tif 000004
【図３】
2008260177.tif 000005
【図４】
2008260177.tif 000006
【図５】
2008260177.tif 000007
【図６】
2008260177.tif 000008
【図７】
2008260177.tif 000009
【図８】
2008260177.tif 000010
【図９】
2008260177.tif 000011
【図１０】
2008260177.tif 000012
【図１１】
2008260177.tif 000013
【図１２】
2008260177.tif 000014
【図１３】
2008260177.tif 000015
【図１４】
2008260177.tif 000016
【図１５】
2008260177.tif 000017
【図１６】
2008260177.tif 000018
【図１７】
2008260177.tif 000019
【図１８】
2008260177.tif 000020
【図１９】
2008260177.tif 000021
【図２０】
2008260177.tif 000022
【図２１】
2008260177.tif 000023
【図２２】
2008260177.tif 000024
【図２３】
2008260177.tif 000025
【図２４】
2008260177.tif 000026
【図２５】
2008260177.tif 000027
【図２６】
2008260177.tif 000028
【図２７】
2008260177.tif 000029
【図２８】
2008260177.tif 000030
【図２９】
2008260177.tif 000031
【図３０】
2008260177.tif 000032
【図３１】
2008260177.tif 000033
【図３２】
2008260177.tif 000034
【図３３】
2008260177.tif 000035
【図３４】
2008260177.tif 000036